(57)【要約】  チップアプリケーターが提供される。本発明の一実施例によるチップアプリケーターは、化粧料を皮膚に塗布するためのものであり、所定の長さを有する支持部と、前記化粧料を表面につけてユーザの皮膚に塗るための塗布部と、前記支持部および前記塗布部を相互連結する連結部と、前記塗布部および前記連結部の内部領域に貫通形成されるキャプチャ部と、を含み、前記塗布部および前記連結部は、少なくとも一部が前記キャプチャ部を維持しながら高さ方向に沿ってねじれるように形成される。【選択図】図１ａ
2021533874.tif 000002
【特許請求の範囲】
【請求項１】
化粧料を皮膚に塗布するためのチップアプリケーターにおいて、
所定の長さを有する支持部と、
前記化粧料を表面につけてユーザの皮膚に塗るための塗布部と、
前記支持部および前記塗布部を相互連結する連結部と、
前記連結部の内部領域に貫通形成されるキャプチャ部と、を含み、
前記塗布部および前記連結部の少なくとも一部が、前記キャプチャ部を維持しながら高さ方向に沿ってねじれるように形成されるチップアプリケーター。
【請求項２】
前記連結部は、前記支持部の端部から一定の長さで延長される一対に形成され、一対の前記連結部は、長さの中間部が交差するようにずらして配置される、請求項１に記載のチップアプリケーター。
【請求項３】
前記塗布部は、幅方向に沿って形成される塗布面の少なくとも一部が同一平面をなすように形成される、請求項１に記載のチップアプリケーター。
【請求項４】
前記塗布部は、幅方向に沿って同一平面をなすように一方が開口された帯状に形成される第１部分と、前記第１部分の両端部から延長される一対の第２部分とを含み、
前記一対の第２部分は、一端部側が前記連結部とそれぞれ連結される、請求項３に記載のチップアプリケーター。
【請求項５】
前記塗布部は、前記連結部と一体で形成されるか、または着脱可能に結合される、請求項１に記載のチップアプリケーター。
【請求項６】
前記塗布部は、表面に複数の小さな繊維がフロック加工（flocking）により付着されたフロッキングが形成されている、請求項１に記載のチップアプリケーター。
【請求項７】
前記連結部は、少なくとも一部の表面に、複数の小さな繊維がフロック加工により付着されたフロッキングが形成されている、請求項１に記載のチップアプリケーター。
【請求項８】
前記塗布部は、内部領域に貫通形成される追加キャプチャ部を含み、
前記追加キャプチャ部は、前記連結部の内部領域に形成される前記キャプチャ部と互いに連結される、請求項１に記載のチップアプリケーター。
【請求項９】
化粧料が一定量収容されている貯蔵容器と、
前記化粧料をつけて皮膚に塗布するための、請求項１〜８のいずれか一項に記載のチップアプリケーターと、を含む化粧料塗布装置。
【発明の詳細な説明】
【技術分野】
【０００１】
本発明は、チップアプリケーターおよびこれを含む化粧料塗布装置に関するもので、より詳細には、ユーザの皮膚と接触するチップアプリケーターの部位に応じて、ユーザに様々な塗布感を感じるようにするチップアプリケーターおよびこれを含む化粧料塗布装置に関するものである。
【背景技術】
【０００２】
リップグロスは、しっとりとして美しい唇を維持するために通常使用される化粧料塗布装置の一つである。このようなリップグロスのような化粧料塗布装置は、所定の長さを有するアプリケーター棒と、塗布部が形成されたチップアプリケーターとを含み得る。ユーザは、アプリケーター棒およびチップアプリケーターを化粧料が保存されている容器内に入れて、塗布部に化粧料をつけて外部に引き出した後、塗布しようとする皮膚に化粧料を塗布することができる。
【０００３】
しかし、従来のチップアプリケーターは、容器内でつけられる化粧料の量が少ないため、一度チップアプリケーターに化粧料をつけた後、複数の所に化粧料を塗布するのは難しいという問題がある。さらに、従来のチップアプリケーターは、容器内で化粧料をつけた後取り出した状態では、塗布部に化粧料の追加供給が不可能であるという問題がある。
【０００４】
そのため、追加塗布や重ね塗りが必要な場合、ユーザはチップアプリケーターを再度容器内に挿入して、塗布部側に化粧料をつけ加える過程を繰り返し行う必要があるという問題がある。
【発明の概要】
【発明が解決しようとする課題】
【０００５】
本発明は、前記のような問題点を解決するためのものであり、一度にキャプチャされる化粧料の量を増大させることにより、化粧料を複数回キャプチャしなくても重ね塗りが可能なチップアプリケーターおよびこれを含む化粧料塗布装置を提供することにその目的がある。
【０００６】
また、本発明は、皮膚と接触する接触部位に応じて様々な塗布感を感じられるようにするチップアプリケーターおよびこれを含む化粧料塗布装置を提供することに他の目的がある。
【課題を解決するための手段】
【０００７】
前記のような目的を達成するために、本発明は、化粧料を皮膚に塗布するためのものであって、所定の長さを有する支持部と、前記化粧料を表面につけてユーザの皮膚に塗るための塗布部と、前記支持部および塗布部を相互連結する連結部と、前記連結部の内部領域に貫通形成されるキャプチャ部と、を含み、前記塗布部および連結部の少なくとも一部が、前記キャプチャ部を維持しながら高さ方向に沿ってねじるように形成されるチップアプリケーターを提供する。
【０００８】
一実施例として、前記連結部は、前記支持部の端部から一定の長さで延長される一対で形成され得、一対の前記連結部は長さの中間部で交差するようにずらして配置され得る。
【０００９】
一実施例として、前記塗布部は、幅方向に沿って形成される塗布面の少なくとも一部が同一平面をなすように形成され得る。
【００１０】
一実施例として、前記塗布部は、幅方向に沿って同一平面をなすように一方が開口された帯状に形成される第１部分と、前記第１部分の両端部から延長される一対の第２部分とを含み得、前記一対の第２部分は、一端部側が前記連結部とそれぞれ連結され得る。
【００１１】
一実施例として、前記塗布部は、前記連結部と一体で形成されるか、または着脱可能に結合され得る。
【００１２】
一実施例として、前記塗布部は、表面に複数の小さな繊維がフロック加工（flocking）により付着されたフロッキングが形成され得る。
【００１３】
一実施例として、前記連結部は、少なくとも一部の表面に複数の小さな繊維がフロック加工により付着されたフロッキングが形成され得る。
【００１４】
一実施例として、前記塗布部は、内部領域に貫通形成される追加キャプチャ部を含み得、前記追加キャプチャ部は、前記連結部の内部領域に形成されるキャプチャ部と互いに連結され得る。
【００１５】
一方、本発明は、化粧料が一定量収容された貯蔵容器と、前記化粧料をつけて皮膚に塗布するための、前述のチップアプリケーターと、を含む化粧料塗布装置を提供する。
【発明の効果】
【００１６】
前記のような本発明の一実施例によるチップアプリケーターおよびこれを含む化粧料塗布装置によると、一度にキャプチャされる化粧料の量を増大させることにより、化粧料を複数回キャプチャしなくても重ね塗りが可能なため、使いやすさが向上し得るというメリットがある。
【００１７】
また、本発明によると、皮膚と接触する接触部位に応じて様々な塗布感を感じ得るという効果がある。
【図面の簡単な説明】
【００１８】
【図１ａ】図１ａは、本発明の一実施例によるチップアプリケーターを示す斜視図である。
【図１ｂ】図１ｂは、本発明の一実施例によるチップアプリケーターを示し、図１ａと異なる角度から見た斜視図である。
【図１ｃ】図１ｃは、本発明の一実施例によるチップアプリケーターを示し、上部から見た図である。
【図２】図２は、図１ａを側面から見た図である。
【図３ａ】図３ａは、本発明の他の実施例によるチップアプリケーターを示す斜視図である。
【図３ｂ】図３ｂは、本発明の他の実施例によるチップアプリケーターを示し、図３ａと異なる角度から見た斜視図である。
【図４】図４は、図３ａを側面から見た図である。
【図５】図５は、本発明によるチップアプリケーターが適用された化粧料塗布装置を示す図である。
【発明を実施するための形態】
【００１９】
以下、添付の図面を参考にして、本発明の実施例について本発明が属する技術分野において通常の知識を有する者が容易に実施できるように詳細に説明する。本発明は、様々な異なる形態で実現されることができ、ここに説明する実施例に限定されない。図面において、本発明を明確に説明するために説明と関係ない部分は省略し、明細書全体に亘って同一または類似の構成要素については同一の参照符号を付加する。
【００２０】
図１ａ〜図１ｃは、本発明の一実施例によるチップアプリケーターを示した図であり、図１ａおよび図１ｂは互いに異なる角度から見た図であり、図１ｃは上部から見た図であり、図２は、図１ａを側面から見た図である。
【００２１】
図１〜図２を参照すると、本発明の一実施例によるチップアプリケーター１００は、ユーザの皮膚に化粧料を塗るためのものであって、一例としてチップアプリケーター１００は、唇などの角質表面を有する皮膚に塗布され得る。
【００２２】
具体的に、チップアプリケーター１００は、支持部１１０と、塗布部１２０と、連結部１３０と、キャプチャ部１３２とを含み得る。
【００２３】
本実施例においては、チップアプリケーター１００が化粧品、特にリップグロスのような唇の化粧料塗布装置であることを例に挙げて説明するが、本発明の思想はこれに限定されない。例えば、チップアプリケーター１００は、リップグロス、アイシャドウ、ファンデーションのような化粧料をつけてユーザの皮膚に塗る形態の美容製品でもあり得る。
【００２４】
支持部１１０は、所定の長さを備え、端部側に連結される連結部１３０および塗布部１２０を支持するためのものである。
【００２５】
このような支持部１１０は、一端部側が、化粧料が保存されている貯蔵容器１０の入口を覆う蓋２０と直接連結され、公知のアプリケーター棒の役割を果たすこともでき、所定の長さを備え、蓋２０と連結されるアプリケーター棒側に結合される形態であっても良い。
【００２６】
塗布部１２０は、ユーザの皮膚に接触して、表面についている化粧料を塗布するものである。このような塗布部１２０は、ユーザの皮膚と接触する際、化粧料がユーザの皮膚にスムーズに塗布され得るように可撓性を有し得る。
【００２７】
一例として、塗布部１２０は、熱可塑性材料を射出成形した成形物からもなり得、フロック加工（flocking）により熱可塑性材料を射出成形した成形物の外面に複数の小さな繊維が付着されたフロッキングが形成された形状でもあり得る。しかし、塗布部１２０をこれに限定するものではなく、プラスチックやスポンジ等のように、可撓性を有しながらも化粧料を一定量キャプチャしてユーザの皮膚に塗布し得る形状であれば、制限なく使用され得ることを明らかにしておく。
【００２８】
この際、本発明によるチップアプリケーター１００は、所定の長さを有する連結部１３０を介して支持部１１０および塗布部１２０が互いに連結され得、連結部１３０の内部領域にはキャプチャ部１３２が貫通形成され得る。
【００２９】
このようなキャプチャ部１３２は、チップアプリケーター１００が化粧料の入った貯蔵容器１０側に挿入された後、引き出される場合、化粧料がキャプチャ部１３２側に一定量で追加キャプチャできるようにすることにより、チップアプリケーター１００によりキャプチャされる化粧料の全キャプチャ量を増加させ得る。
【００３０】
さらに、キャプチャ部１３２が連結部１３０の内部領域に形成されることにより、チップアプリケーター１００が貯蔵容器１０から引き出される過程で、キャプチャ部１３２によってキャプチャされた化粧料が、貯蔵容器１０に形成されたワイパー（図５、１２）によって拭き取られたり削除されたりすることが防止され得る。
【００３１】
これにより、塗布部１２０を利用して化粧料を塗布する際、キャプチャ部１３２により追加キャプチャされた化粧料が塗布部１２０側に流れ、塗布部１２０側に化粧料を追加で供給することにより、一度のキャプチャ動作によって追加の塗布作業が可能となり得る。
【００３２】
このようなキャプチャ部１３２は、連結部１３０の内部領域にのみ形成されても良いが、より多くの化粧料を追加でキャプチャできるように、塗布部１２０の内部領域にも追加キャプチャ部１２３が貫通形成されても良く、塗布部１２０に形成された追加キャプチャ部１２３は、連結部１３０に形成されたキャプチャ部１３２と互いに連結され得る。
【００３３】
この際、本発明によるチップアプリケーター１００は、塗布部１２０および連結部１３０の少なくとも一部がキャプチャ部１３２を維持しながら、高さ方向に沿ってねじれるように形成され得る。
【００３４】
一例として、塗布部１２０および連結部１３０は、内部にキャプチャ部１３２および追加キャプチャ部１２３がそれぞれ形成されるように相互連結された線形の帯状であっても良く、高さの中間部が所定の角度でねじれたねじり棒状に形成され得る。例えば、塗布部１２０および連結部１３０は連続したねじり棒状であり、１回以上ねじれた形状を有し得る。
【００３５】
これにより、塗布部１２０および連結部１３０がフラットな線形の帯状に形成された場合に比べて、本発明によるチップアプリケーター１００は、塗布部１２０および連結部１３０の内部に形成されたキャプチャ部１３２および追加キャプチャ部１２３の全断面積が増加され得ることにより、化粧料のキャプチャ量をさらに増やすことができる。
【００３６】
さらに、塗布部１２０および連結部１３０は、ねじれた部分によりキャプチャ部１３２および／または追加キャプチャ部１２３を規定する縁側が高さ方向と平行な仮想の直線に対して一定の角度を有するように配置され得る。これによって、キャプチャ部１３２および／または追加キャプチャ部１２３にキャプチャされた後、塗布部１２０側に供給される化粧料の供給時間を遅延させ得ることにより、化粧料が塗布部１２０側へ過剰に流れ落ちることを防止し得る。
【００３７】
加えて、塗布部１２０および連結部１３０がフラットな線形の帯状に形成されたチップアプリケーターに比べて、本発明によるチップアプリケーター１００は、塗布部１２０および連結部１３０がねじれる部分を有するように形成して、塗布面が広い面、狭い面、屈曲面などを有するよう多様に形成され得る。したがって、ユーザが様々な形状の塗布面を皮膚と接触させることにより、様々な塗布感を感じることができる。
【００３８】
具体的な一例として、塗布部１２０は、一方が開口された帯状に形成される第１部分１２１と、第１部分１２１の両端部から延長される一対の第２部分１２２とを含み得る。
【００３９】
また、連結部１３０は、支持部１１０の端部から一定の長さで延長される一対で形成され得、一対の連結部１３０は、長さの中間部が交差するようにずらして配置され得る。
【００４０】
この際、一対の第２部分１２２は、第１部分１２１の端部から互いに異なる方向を向くように配置され得る。これにより、一対の連結部１３０が互いにずらして配置されても、塗布部１２０は一対の第２部分１２２によりスムーズに連結され得る。
【００４１】
これにより、一対の連結部１３０の内部領域には、一対の連結部１３０により規定されるキャプチャ部１３２が形成され得、塗布部１２０の内部領域には、第１部分１２１および第２部分１２２によって規定される追加キャプチャ部１２３がそれぞれ形成され得る。
【００４２】
なお、追加キャプチャ部１２３は、一対の第２部分１２２と対応する内部領域にのみ形成されても良い。つまり、塗布部１２０は、第１部分１２１の内部が満たされた形状であっても良い。
【００４３】
この際、塗布部１２０は、少なくとも一部が幅方向に沿って形成される塗布面が同一平面をなすように形成され得る。
【００４４】
一例として、塗布部１２０は、第１部分１２１の両面に形成される塗布面が同一平面をなすように形成され得る。これにより、ユーザは、ラインを描いたり、比較的狭い面積を塗布したりする際、第１部分１２１を利用して所望の塗布作業ができる。
【００４５】
なお、図面と説明には、一対の連結部１３０が互いに交差するようにずらして配置されるものと図示して説明したが、本発明をこれに限定するものではなく、一対の連結部１３０が互いに平行して配置され、ねじれた部分が塗布部１２０側にのみ形成されても良いことを明らかにしておく。
【００４６】
さらに、本発明によるチップアプリケーター２００は、前述の連結部１３０が塗布部１２０と同様に、熱可塑性材料を射出成形した成形物からなっても良く、フロック加工により熱可塑性材料を射出成形した成形物の外面に複数の小さな繊維が付着されたフロッキングが形成された形状であっても良い。
【００４７】
具体的な一例として、図３ａ〜図４に示すように、本発明によるチップアプリケーター２００は、図１ａ〜図２における連結部１３０に該当する部分２３０が塗布部１２０と同じ形状で構成されても良く、外面に形成されるフロッキングの場合、図１ａ〜図２において連結部１３０に該当する部分２３０の全体長さにて形成されても良く、全体長さの一部の長さにのみ部分的に形成されても良い。
【００４８】
ここで、図３ａ〜図４に示したチップアプリケーター２００の場合、図１ａ〜図２に示すチップアプリケーター１００において連結部１３０に該当する部分２３０を除いた、支持部１１０と、塗布部１２０と、キャプチャ部１３２とを含む残りの内容は、前述の内容と同一であるので詳細な説明は省略することとする。
【００４９】
代案として、図面には示さないが、図３ａ〜図４に示したチップアプリケーター２００の場合、図１ａ〜図２における連結部１３０に該当する部分に、フロッキングが形成されず、プラスチックやスポンジ等のように可撓性を有しながらも化粧料を一定量キャプチャしてユーザの皮膚に塗布し得る、異なる形態も適用され得ることも明らかにしておく。また、塗布部１２０のうち第１部分１２１もまた、平板状の塗布面のみならず、棒状や楕円形などと、様々な形状への変更が可能であることを明らかにしておく。
【００５０】
なお、本発明に適用される連結部１３０は、支持部１１０の端部と一体で形成されるか、または着脱可能に結合され得、塗布部１２０もまた、連結部１３０と一体で形成されるか、または着脱可能に結合され得る。
【００５１】
前述のチップアプリケーター１００、２００は、化粧料塗布装置に適用され得る。
【００５２】
つまり、化粧料塗布装置は、図５に示すように、貯蔵容器１０およびチップアプリケーターを含み得、チップアプリケーター１００、２００は、前述した形状のチップアプリケーター１００、２００のいずれも適用され得る。
【００５３】
一例として、チップアプリケーター１００、２００は、所定の長さを備え、一端部が蓋２０に固定されるロッド部３０を含み得、支持部１１０の端部側がロッド部３０に連結される形状であり得る。しかし、チップアプリケーター１００、２００の適用形状をこれに限定するものではなく、支持部１１０が所定の長さで延長され、蓋２０に直接連結されても良い。
【００５４】
貯蔵容器１０は、ユーザの皮膚に塗布するための化粧料４０が一定量保存されるものであり、一方が開口された筐体状であり得、開放された一方がチップアプリケーター１００、２００を出入りさせる入口の役割を果たし得る。
【００５５】
さらに、入口の役割をする貯蔵容器１０の開放された一方は、貯蔵容器１０に着脱可能に結合される蓋２０により密閉され得る。
【００５６】
また、貯蔵容器１０の内部には、チップアプリケーター１００、２００の引き出しの際、塗布部１２０を除いた部分についている化粧料を除去するためのワイパー１２が備えられ得る。
【００５７】
これにより、未使用時には、チップアプリケーター１００、２００が固定された蓋２０を貯蔵容器１０に締結することにより、貯蔵容器１０に保存されている化粧料が外部に放出されることを防ぐことができ、使用時にはチップアプリケーター１００、２００を貯蔵容器１０の内部に引き入れ、塗布部１２０に化粧料をつけた後、ユーザの皮膚に塗布し得る。
【００５８】
なお、前述の貯蔵容器１０は公知の内容であるため、詳細な説明は省略することとし、化粧料塗布装置に適用され得る公知の一般的な形状のいずれも適用され得ることを明らかにしておく。
【００５９】
さらに、化粧料塗布装置は、前述のように化粧品、特にリップグロスのような唇の化粧料塗布装置であり得るが、これに限定されるものではなく、リップグロス、アイシャドウ、ファンデーション用途の塗布装置であり得ることも明らかにしておく。
【００６０】
以上において、本発明の一実施例について説明したが、本発明の思想は本明細書に提示される実施例に限定されず、本発明の思想を理解する当業者は、同一の思想範囲内において、構成要素の付加、変更、削除、追加等により他の実施例を容易に提案し得るが、これもまた本発明の思想の範囲内にあると言える。
【産業上の利用可能性】
【００６１】
本発明は、化粧品産業分野において利用可能である。
【図１ａ】
2021533874.tif 000003
【図１ｂ】
2021533874.tif 000004
【図１ｃ】
2021533874.tif 000005
【図２】
2021533874.tif 000006
【図３ａ】
2021533874.tif 000007
【図３ｂ】
2021533874.tif 000008
【図４】
2021533874.tif 000009
【図５】
2021533874.tif 000010
【国際調査報告】
2021533874.tif 000011
2021533874.tif 000012
2021533874.tif 000013
2021533874.tif 000014